【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段による連続した撮像を行なう撮像制御手段と、
前記撮像制御手段により撮像された画像データ内にある顔を検出する顔検出手段と、
前記顔検出手段により検出された顔に対してオートフォーカスを行なうオートフォーカス制御手段と、
前記オートフォーカス制御手段によりオートフォーカスが行なわれてから、所定のタイミング以後に前記顔検出手段によって顔が検出された場合は、前記オートフォーカス制御手段によるオートフォーカスを行なうことなく、直ちに前記撮像手段によって被写体の静止画撮影を実行させる静止画撮影制御手段と、
を備えたことを特徴とする撮像装置。
【請求項２】
前記オートフォーカス制御手段によるオートフォーカスの後に、前記顔検出手段により顔が検出されなくなったか否かを判断する判断手段を備え、
前記所定のタイミングは、
前記判断手段により前記顔検出手段により顔が検出されなくなったと判断されたタイミングであることを特徴とする請求項１記載の撮像装置。
【請求項３】
前記所定のタイミングは、
前記オートフォーカス制御手段によりオートフォーカスが行なわれてから、所定時間経過したときのタイミングであることを特徴とする請求項１記載の撮像装置。
【請求項４】
前記オートフォーカス制御手段は、
前記顔検出手段により複数の顔が検出された場合は、１つ、又は複数の顔に対してオートフォーカスを行なうことを特徴とする請求項１乃至３の何れかに記載の撮像装置。
【請求項５】
前記オートフォーカス制御手段は、
前記顔検出手段により複数の顔が検出された場合は、ユーザによって手動選択された顔、又は、各顔の優先順位に基づいて自動選択された顔、あるいは、検出された全ての顔に対してオートフォーカスを行なうことを特徴とする請求項１乃至４の何れかに記載の撮像装置。
【請求項６】
前記自動選択は、
前記顔検出手段により検出された各顔の大きさ、各顔の画角中心からの近さ、予め登録されている顔であるか否か、の各要件のうち少なくとも１つ以上の要件に基づいて、前記顔検出手段により検出された各顔の優先順位を決定し、優先順位の高い顔を自動選択することを特徴とする請求項５記載の撮像装置。
【請求項７】
前記顔検出手段は、
前記撮像制御手段により撮像された画像データの中央領域又は所定領域にある顔を検出することを特徴とする請求項１乃至６の何れかに記載の撮像装置。
【請求項８】
前記オートフォーカス制御手段によりオートフォーカスされた顔の領域に対して、以後顔検出を行なうことを特徴とする請求項１乃至７の何れかに記載の撮像装置。
【請求項９】
前記判断手段は、
前記オートフォーカス制御手段によりオートフォーカスされた顔が検出されなくなったか否かを判断し、
前記静止画撮影制御手段は、
前記判断手段により顔が検出されなくなったと判断された後に、再度、前記顔検出手段により前記オートフォーカス制御手段によりオートフォーカスされた顔が検出された場合は、前記オートフォーカス制御手段によるオートフォーカスを行なうことなく、直ちに前記撮像手段によって被写体の静止画撮影を実行させることを特徴とする請求項２記載の撮像装置。
【請求項１０】
前記撮像制御手段により撮像された画像データに基づいて、被写体の動きを検出する動き検出手段を備え、
前記静止画撮影制御手段は、
前記判断手段により顔が検出されなくなったと判断された後に、前記顔検出手段により再度顔が検出され、且つ、前記動き検出手段により再度検出された被写体の動きが所定値以下であると判断した場合は、前記オートフォーカス制御手段によるオートフォーカスを行なうことなく、直ちに前記撮像手段によって被写体の静止画撮影を実行させることを特徴とする請求項２記載の撮像装置。
【請求項１１】
半押し全押しの２段階操作の可能なシャッタボタンを備え、
前記顔検出手段は、
前記シャッタボタンが半押しされた場合に、前記撮像制御手段により撮像された画像データ内にある顔を検出し、
前記オートフォーカス制御手段は、
前記シャッタボタンが半押しされた場合に、前記顔検出手段により検出された顔に対してオートフォーカスを行なうことを特徴とする請求項１乃至１０の何れかに記載の撮像装置。
【請求項１２】
半押し全押しの２段階操作の可能なシャッタボタンを備え、
前記判断手段は、
前記シャッタボタンが全押しされた場合に、前記顔検出手段により顔が検出されなくなったか否かを判断し、
前記静止画撮影制御手段は、
前記シャッタボタンが全押しされた場合に、前記判断手段により顔が検出されなくなったと判断された後に、再度、前記顔検出手段により顔が検出された場合は、前記オートフォーカス制御手段によるオートフォーカスを行なうことなく、前記撮像手段によって被写体の静止画撮影を実行させることを特徴とする請求項２記載の撮像装置。
【請求項１３】
撮像手段を備えた撮像装置のコンピュータに、
前記撮像手段による連続した撮像を行なう撮像制御手段、
前記撮像制御手段により撮像された画像データ内にある顔を検出する顔検出手段、
前記顔検出手段により検出された顔に対してオートフォーカスを行なうオートフォーカス制御手段、
前記オートフォーカス制御手段によりオートフォーカスが行なわれてから、所定のタイミング以後に前記顔検出手段によって顔が検出された場合は、前記オートフォーカス制御手段によるオートフォーカスを行なうことなく、直ちに前記撮像手段によって被写体の静止画撮影を実行させる静止画撮影制御手段
としての機能を実行させることを特徴とするプログラム。
【手続補正２】
【補正対象書類名】明細書
【補正対象項目名】０００６
【補正方法】変更
【補正の内容】
【０００６】
上記目的達成のため、請求項１記載の発明による撮像装置は、撮像手段と、
前記撮像手段による連続した撮像を行なう撮像制御手段と、
前記撮像制御手段により撮像された画像データ内にある顔を検出する顔検出手段と、
前記顔検出手段により検出された顔に対してオートフォーカスを行なうオートフォーカス制御手段と、
前記オートフォーカス制御手段によりオートフォーカスが行なわれてから、所定のタイミング以後に前記顔検出手段によって顔が検出された場合は、前記オートフォーカス制御手段によるオートフォーカスを行なうことなく、直ちに前記撮像手段によって被写体の静止画撮影を実行させる静止画撮影制御手段と、
を備えたことを特徴とする。
【手続補正３】
【補正対象書類名】明細書
【補正対象項目名】００１２
【補正方法】変更
【補正の内容】
【００１２】
また、例えば、請求項７に記載されているように、前記顔検出手段は、
前記撮像制御手段により撮像された画像データの中央領域又は所定領域にある顔を検出するようにしてもよい。
【手続補正４】
【補正対象書類名】明細書
【補正対象項目名】００１４
【補正方法】変更
【補正の内容】
【００１４】
また、例えば、請求項９に記載されているように、前記判断手段は、
前記オートフォーカス制御手段によりオートフォーカスされた顔が検出されなくなったか否かを判断し、
前記静止画撮影制御手段は、
前記判断手段により顔が検出されなくなったと判断された後に、再度、前記顔検出手段により前記オートフォーカス制御手段によりオートフォーカスされた顔が検出された場合は、前記オートフォーカス制御手段によるオートフォーカスを行なうことなく、直ちに前記撮像手段によって被写体の静止画撮影を実行させるようにしてもよい。
【手続補正５】
【補正対象書類名】明細書
【補正対象項目名】００１５
【補正方法】変更
【補正の内容】
【００１５】
また、例えば、請求項１０に記載されているように、前記撮像制御手段により撮像された画像データに基づいて、被写体の動きを検出する動き検出手段を備え、
前記静止画撮影制御手段は、
前記判断手段により顔が検出されなくなったと判断された後に、前記顔検出手段により再度顔が検出され、且つ、前記動き検出手段により再度検出された被写体の動きが所定値以下であると判断した場合は、前記オートフォーカス制御手段によるオートフォーカスを行なうことなく、直ちに前記撮像手段によって被写体の静止画撮影を実行させるようにしてもよい。
【手続補正６】
【補正対象書類名】明細書
【補正対象項目名】００１７
【補正方法】変更
【補正の内容】
【００１７】
また、例えば、請求項１２に記載されているように、半押し全押しの２段階操作の可能なシャッタボタンを備え、
前記判断手段は、
前記シャッタボタンが全押しされた場合に、前記顔検出手段により顔が検出されなくなったか否かを判断し、
前記静止画撮影制御手段は、
前記シャッタボタンが全押しされた場合に、前記判断手段により顔が検出されなくなったと判断された後に、再度、前記顔検出手段により顔が検出された場合は、前記オートフォーカス制御手段によるオートフォーカスを行なうことなく、前記撮像手段によって被写体の静止画撮影を実行させるようにしてもよい。
【手続補正７】
【補正対象書類名】明細書
【補正対象項目名】００１８
【補正方法】変更
【補正の内容】
【００１８】
上記目的達成のため、請求項１３記載の発明によるプログラムは、撮像手段を備えた撮像装置のコンピュータに、
前記撮像手段による連続した撮像を行なう撮像制御手段、
前記撮像制御手段により撮像された画像データ内にある顔を検出する顔検出手段、
前記顔検出手段により検出された顔に対してオートフォーカスを行なうオートフォーカス制御手段、
前記オートフォーカス制御手段によりオートフォーカスが行なわれてから、所定のタイミング以後に前記顔検出手段によって顔が検出された場合は、前記オートフォーカス制御手段によるオートフォーカスを行なうことなく、直ちに前記撮像手段によって被写体の静止画撮影を実行させる静止画撮影制御手段
としての機能を実行させることを特徴とする。